(57)【要約】      （修正有）【課題】ユーザ端末に対して，テーマごとのコンテンツを配信することが可能なコンテンツ配信システムを提供する。【解決手段】アドオン形式のコンテンツを記憶する配信コンテンツ記憶部と，コンテンツ取得要求に応じてコンテンツをユーザ端末に送るコンテンツ配信処理部と，コンテンツの更新確認要求に応じて，そのコンテンツに更新があったかを判定する更新確認処理部と，ユーザが所望するコンテンツの取得要求をコンテンツ配信サーバに送り，それに対応するコンテンツを取得するコンテンツ取得処理部と，取得コンテンツ記憶部と，取得したコンテンツを閲覧する処理を実行する閲覧処理部と，取得したコンテンツに更新があるかの更新確認要求を送るコンテンツ更新処理部と，コンテンツに含まれる位置情報，日時情報に基づいて，ユーザ端末における地図機能またはスケジュール機能と連動する処理を実行する連動処理部と，を備える。【選択図】図１
2014157572.tif 000002
【特許請求の範囲】
【請求項１】
ユーザが利用するユーザ端末にコンテンツを配信するコンテンツ配信システムであって，
前記コンテンツ配信システムは，前記ユーザ端末にコンテンツを配信するコンテンツ配信サーバと，前記ユーザ端末とを有しており，
前記コンテンツ配信サーバは，
アドオン形式でユーザ端末に配信するコンテンツを記憶する配信コンテンツ記憶部と，
前記ユーザ端末からのコンテンツ取得要求に応じて，前記配信コンテンツ記憶部に記憶するコンテンツを，前記ユーザ端末に送るコンテンツ配信処理部と，
前記ユーザ端末からのコンテンツの更新確認要求に応じて，前記配信コンテンツ記憶部を参照することで，そのコンテンツに更新があったかを判定する更新確認処理部と，を備え，
前記ユーザ端末は，
ユーザが所望するコンテンツの取得要求を前記コンテンツ配信サーバに送り，それに対応するコンテンツを取得するコンテンツ取得処理部と，
前記取得したコンテンツを記憶する取得コンテンツ記憶部と，
前記取得したコンテンツを閲覧する処理を実行する閲覧処理部と，
前記取得したコンテンツに更新があるかの更新確認要求を前記コンテンツ配信サーバに送るコンテンツ更新処理部と，
前記コンテンツに含まれる位置情報または日時情報に基づいて，前記ユーザ端末における地図機能またはスケジュール機能と連動する処理を実行する連動処理部と，を備える，
ことを特徴とするコンテンツ配信システム。
【請求項２】
前記コンテンツは，一つのテーマごとに編集されたコンテンツであって，一つのテーマに関する複数のファイルから構成される，
ことを特徴とする請求項１に記載のコンテンツ配信システム。
【請求項３】
前記連動処理部は，
前記コンテンツに含まれる位置情報に基づいて，前記ユーザ端末における地図機能における地図情報上に，前記コンテンツのスポット・イベント情報を表示する，
ことを特徴とする請求項１または請求項２に記載のコンテンツ配信システム。
【請求項４】
前記連動処理部は，
前記コンテンツに含まれる日時情報に基づいて，前記ユーザ端末におけるスケジュール機能に，前記日時情報を前記スケジュール機能における予定として登録する，
ことを特徴とする請求項１から請求項３のいずれかに記載のコンテンツ配信システム。
【請求項５】
前記更新確認処理部は，
前記ユーザ端末からの更新確認要求に基づいて，前記配信コンテンツ記憶部を参照することでコンテンツに更新があったかを判定してその結果を前記ユーザ端末に送り，
前記コンテンツ取得処理部は，
前記コンテンツ更新処理部で前記判定結果がコンテンツの更新があったことを示す情報を取得すると，更新があったコンテンツの取得要求を前記コンテンツ配信サーバに送ることで，更新されたコンテンツを前記コンテンツ配信サーバから取得する，
ことを特徴とする請求項１から請求項４のいずれかに記載のコンテンツ配信システム。
【請求項６】
前記更新確認処理部は，
前記ユーザ端末からの更新確認要求に基づいて，前記配信コンテンツ記憶部を参照することでコンテンツに更新があったかを判定し，
前記コンテンツ配信処理部は，
前記更新があったと判定したコンテンツを前記配信コンテンツ記憶部から抽出して，前記ユーザ端末に送ることで，更新したコンテンツを取得させる，
ことを特徴とする請求項１から請求項５のいずれかに記載のコンテンツ配信システム。
【請求項７】
ユーザが利用するユーザ端末にコンテンツを配信するコンテンツ配信システムであって，
アドオン形式のコンテンツを記憶する所定のサーバに，ユーザが所望するコンテンツの取得要求を送ることで，それに対応するコンテンツを取得するコンテンツ取得処理部と，
前記取得したコンテンツを記憶する取得コンテンツ記憶部と，
前記取得したコンテンツを閲覧する処理を実行する閲覧処理部と，
前記取得したコンテンツに更新があるかの更新確認要求を前記コンテンツ配信サーバに送るコンテンツ更新処理部と，
前記コンテンツに含まれる位置情報または日時情報に基づいて，前記ユーザ端末における地図機能またはスケジュール機能と連動する処理を実行する連動処理部と，
を有することを特徴とするコンテンツ配信システム。
【発明の詳細な説明】
【技術分野】
【０００１】
本発明は，ユーザが利用する端末に対して，テーマごとのコンテンツを配信することが可能なコンテンツ配信システムに関する。
【背景技術】
【０００２】
コンピュータを利用することで，さまざまな情報をユーザは入手し得る。この場合，従来は，下記非特許文献１乃至非特許文献３に示すように，さまざまテーマごと，たとえば花見や花火などのコンテンツを入手し得るアプリケーションプログラムをダウンロードし，そのアプリケーションプログラムによって，そのテーマに関するコンテンツ（情報）を取得していた。
【先行技術文献】
【非特許文献】
【０００３】
【非特許文献１】ヤフー株式会社，”無料のiPhone&Androidアプリ「花火大会＆夏祭り２０１２」−花火大会＆夏祭り特集２０１２−Yahoo!JAPAN”，[online]，インターネット＜ＵＲＬ：http://hanabi.yahoo.co.jp/app/＞
【非特許文献２】株式会社ＪＴＢパブリッシング，”iTunes App Storeで見つかるiPhone,iPod touch,iPad対応お花見特集２０１２”，[online]，インターネット＜ＵＲＬ：https://itunes.apple.com/jp/app/id499208632&mt=8＞
【非特許文献３】株式会社リクルートホールディングス，”iTunes App Storeで見つかるiPhone,iPod touch,iPad対応じゃらんいちご狩り”，[online]，インターネット＜ＵＲＬ：https://itunes.apple.com/jp/app/id436972826?mt=8＞
【発明の概要】
【発明が解決しようとする課題】
【０００４】
そのため，ユーザがさまざまなテーマについてコンテンツを取得しようとする場合，アプリケーションプログラムの数が多くなってしまい，とくに，記憶容量に制約の多い，スマートフォンを含む携帯電話，ＰＨＳ，タブレット型コンピュータなどの可搬型通信端末ではそのアプリケーションプログラムのダウンロードによる記憶容量を気にしておかなければならない。また，それぞれのアプリケーションプログラムでコンテンツの配信が行われるため，ユーザは，新しいテーマについてコンテンツを取得するには，そのテーマに対応したアプリケーションプログラムをダウンロードしなければならない。
【０００５】
また，コンテンツを配信する側にとっても，新しいテーマについてのコンテンツを配信する場合，そのコンテンツを配信するためのアプリケーションプログラム自体を配信しなくてはならず，アプリケーションプログラムを設計，開発する負担がある。
【課題を解決するための手段】
【０００６】
そこで本発明者は上記課題に鑑み，本発明を行った。
【０００７】
第１の発明は，ユーザが利用するユーザ端末にコンテンツを配信するコンテンツ配信システムであって，前記コンテンツ配信システムは，前記ユーザ端末にコンテンツを配信するコンテンツ配信サーバと，前記ユーザ端末とを有しており，前記コンテンツ配信サーバは，アドオン形式でユーザ端末に配信するコンテンツを記憶する配信コンテンツ記憶部と，前記ユーザ端末からのコンテンツ取得要求に応じて，前記配信コンテンツ記憶部に記憶するコンテンツを，前記ユーザ端末に送るコンテンツ配信処理部と，前記ユーザ端末からのコンテンツの更新確認要求に応じて，前記配信コンテンツ記憶部を参照することで，そのコンテンツに更新があったかを判定する更新確認処理部と，を備え，前記ユーザ端末は，ユーザが所望するコンテンツの取得要求を前記コンテンツ配信サーバに送り，それに対応するコンテンツを取得するコンテンツ取得処理部と，前記取得したコンテンツを記憶する取得コンテンツ記憶部と，前記取得したコンテンツを閲覧する処理を実行する閲覧処理部と，前記取得したコンテンツに更新があるかの更新確認要求を前記コンテンツ配信サーバに送るコンテンツ更新処理部と，前記コンテンツに含まれる位置情報または日時情報に基づいて，前記ユーザ端末における地図機能またはスケジュール機能と連動する処理を実行する連動処理部と，を備える，コンテンツ配信システムである。
【０００８】
本発明のように構成することで，アドオン形式で配信されるコンテンツをユーザ端末で取得し，閲覧することが可能となる。これによって，一つのアプリケーションプログラムで，所望のコンテンツを取得することができるので，アプリケーションプログラムの数の増加や記憶容量の増加の懸念を減らすことができる。また，コンテンツを配信する側にとっても，テーマごとのコンテンツをいわゆるアドオン形式で配信することで，テーマごとにアプリケーションプログラムを設計，開発等する必要がなくなる。また，コンテンツ自体でのアップデートが可能となるので，アプリケーションプログラム自体のアップデートも不要となる。
【０００９】
上述の発明において，前記コンテンツは，一つのテーマごとに編集されたコンテンツであって，一つのテーマに関する複数のファイルから構成される，コンテンツ配信システムのように構成することができる。
【００１０】
配信するコンテンツとしては，それぞれが一つのテーマごとに編集されていることが好ましい。
【００１１】
上述の発明において，前記連動処理部は，前記コンテンツに含まれる位置情報に基づいて，前記ユーザ端末における地図機能における地図情報上に，前記コンテンツのスポット・イベント情報を表示する，コンテンツ配信システムのように構成することができる。
【００１２】
本発明のように構成することで，コンテンツに位置情報が含まれている場合，ユーザ端末に備えられている地図機能（地図のアプリケーション）に基づいて，その場所を示すことができる。
【００１３】
上述の発明において，前記連動処理部は，前記コンテンツに含まれる日時情報に基づいて，前記ユーザ端末におけるスケジュール機能に，前記日時情報を前記スケジュール機能における予定として登録する，コンテンツ配信システムのように構成することができる。
【００１４】
本発明のように構成することで，コンテンツに日時情報が含まれている場合，ユーザ端末に備えられているスケジュール機能（スケジュール管理のアプリケーション）にその日時を予定として登録することができる。そのため，たとえばイベントの日時を失念しそうになっても，スケジュール機能によって管理することができる。
【００１５】
上述の発明において，前記更新確認処理部は，前記ユーザ端末からの更新確認要求に基づいて，前記配信コンテンツ記憶部を参照することでコンテンツに更新があったかを判定してその結果を前記ユーザ端末に送り，前記コンテンツ取得処理部は，前記コンテンツ更新処理部で前記判定結果がコンテンツの更新があったことを示す情報を取得すると，更新があったコンテンツの取得要求を前記コンテンツ配信サーバに送ることで，更新されたコンテンツを前記コンテンツ配信サーバから取得する，コンテンツ配信システムのように構成することができる。
【００１６】
上述の発明において，前記更新確認処理部は，前記ユーザ端末からの更新確認要求に基づいて，前記配信コンテンツ記憶部を参照することでコンテンツに更新があったかを判定し，前記コンテンツ配信処理部は，前記更新があったと判定したコンテンツを前記配信コンテンツ記憶部から抽出して，前記ユーザ端末に送ることで，更新したコンテンツを取得させる，コンテンツ配信システムのように構成することができる。
【００１７】
本発明ではコンテンツをユーザ端末に記憶する。そのため，コンテンツが更新された場合にも古いコンテンツのまま閲覧することとなる。そこで，本発明のように構成することで，コンテンツが更新された場合であっても，適宜，更新することができる。
【００１８】
第１の発明におけるユーザ端末は，本発明のように構成することができる。すなわち，ユーザが利用するユーザ端末にコンテンツを配信するコンテンツ配信システムであって，アドオン形式のコンテンツを記憶する所定のサーバに，ユーザが所望するコンテンツの取得要求を送ることで，それに対応するコンテンツを取得するコンテンツ取得処理部と，前記取得したコンテンツを記憶する取得コンテンツ記憶部と，前記取得したコンテンツを閲覧する処理を実行する閲覧処理部と，前記取得したコンテンツに更新があるかの更新確認要求を前記コンテンツ配信サーバに送るコンテンツ更新処理部と，前記コンテンツに含まれる位置情報または日時情報に基づいて，前記ユーザ端末における地図機能またはスケジュール機能と連動する処理を実行する連動処理部と，を有するコンテンツ配信システムである。
【発明の効果】
【００１９】
本発明のコンテンツ配信システムによって，ユーザは，一つのアプリケーションプログラムをダウンロードしておけば，テーマごとに所望のコンテンツを取得することができるので，アプリケーションプログラムの数の増加や記憶容量の増加の懸念を減らすことができる。また，コンテンツを配信する側にとっても，テーマごとのコンテンツをいわゆるアドオン形式で配信することで，一つのアプリケーションプログラムでの管理が可能となり，テーマごとにアプリケーションプログラムを設計，開発等する必要がなくなる。また，コンテンツ自体でのアップデートが可能となるので，アプリケーションプログラム自体のアップデートも不要となる。
【図面の簡単な説明】
【００２０】
【図１】本発明のコンテンツ配信システムのシステム構成の概要を模式的に示す概念図である。
【図２】コンピュータのハードウェア構成の一例を模式的に示す図である。
【図３】本発明のコンテンツ配信システムの処理プロセスの一例を模式的に示すフローチャートである。
【図４】アドオンとして配信するコンテンツの構成の一例を模式的に示す図である。
【図５】配信コンテンツ記憶部の一例を模式的に示す図である。
【図６】取得コンテンツ記憶部の一例を模式的に示す図である。
【図７】初期画面の一例を模式的に示す図である。
【図８】コンテンツのリストを表示する画面の一例を模式的に示す図である。
【図９】ダウンロードの確認画面の一例を模式的に示す図である。
【図１０】マイテーマの画面の一例を模式的に示す図である。
【図１１】テーマトップの画面の一例を模式的に示す図である。
【図１２】複数のテーマが追加された場合のマイテーマの画面の一例を模式的に示す図である。
【図１３】スポットイベント情報の詳細画面の一例を模式的に示す図である。
【図１４】スポットイベント情報における位置情報を地図情報で表示する場合の画面の一例を模式的に示す図である。
【発明を実施するための形態】
【００２１】
本発明のコンテンツ配信システム１のシステム構成の一例の概念図を図１に示す。コンテンツ配信システム１を実現するコンピュータのハードウェア構成の一例を図２に示す。
【００２２】
コンピュータとしては，スマートフォンを含む携帯電話，ＰＨＳ，ＰＤＡ，タブレット型コンピュータなどの持ち運びな可搬型通信端末のほか，パーソナルコンピュータ，サーバなどを含む。
【００２３】
コンピュータは，プログラムの演算処理を実行するＣＰＵなどの演算装置７０と，情報を記憶するＲＡＭなどの記憶装置７１と，ディスプレイなどの表示装置７２と，マウスやキーボード，タッチパネルなどの各種入力インターフェイスの入力装置７３と，演算装置７０の処理結果や記憶装置７１に記憶する情報を公衆電話回線，インターネットやＬＡＮなどのネットワークを介して送受信する通信装置７４とを有している。コンピュータ上で実現する各機能（各手段）は，その処理を実行する手段（プログラムやモジュールなど）が演算装置７０に読み込まれることでその処理が実行される。各機能は，記憶装置７１に記憶した情報をその処理において使用する場合には，該当する情報を当該記憶装置７１から読み出し，読み出した情報を適宜，演算装置７０における処理に用いる。
【００２４】
本発明における各手段は，その機能が論理的に区別されているのみであって，物理上あるいは事実上は同一の領域を為していても良い。
【００２５】
ユーザ端末３は，ユーザが利用するコンピュータであって，スマートフォンを含む携帯電話，ＰＨＳ，ＰＤＡ，タブレット型コンピュータなどの持ち運びな可搬型通信端末のほか，パーソナルコンピュータなどを含む。
【００２６】
コンテンツ登録者端末４は，ユーザ端末３にコンテンツを配信するものが利用するコンピュータであり，コンテンツ登録者端末４からコンテンツをコンテンツ配信サーバ２に登録することで，コンテンツ配信サーバ２からユーザ端末３に対して，当該コンテンツが送られる。
【００２７】
コンテンツ配信システム１におけるコンテンツ配信サーバ２は，コンテンツ登録処理部２０と配信コンテンツ記憶部２１とコンテンツ配信処理部２２と更新確認処理部２３とを備える。
【００２８】
コンテンツ登録処理部２０は，ユーザ端末３に対して配信するコンテンツの登録を，コンテンツ登録者端末４から受け付け，それを配信コンテンツ記憶部２１に記憶させる。ここで配信するコンテンツとしては，テーマ別のお勧め情報が記載されたコンテンツであって，たとえば，季節の花の名所，お花見，学園祭，夏祭り，秋祭り，花火大会，東京の名所／新名所，銭湯／スーパー銭湯，和菓子店，洋菓子店，ドッグラン，バーベキュー場／キャンプ場，神社／お寺，坂道，画廊／ギャラリー，ライブハウス，縁日／市，銀座線，など，さまざまなものがある。
【００２９】
図４に，アドオンとして配信するコンテンツの構成の一例を模式的に示す。図４に示すように，そのテーマのトップ画面のｈｔｍｌファイルと，そのｈｔｍｌファイルで表示する画像ファイルと，そのｈｔｍｌファイルに記載される情報のｃｓｖファイルとから構成される。また，豆知識のトップ画面およびその豆知識の詳細画面とは，取り上げたテーマに対応する読み物系のコンテンツであり，それぞれの画面のｈｔｍｌファイルと，そのｈｔｍｌファイルで表示する画像ファイルと，そのｈｔｍｌファイルに記載される情報のｃｓｖファイルとから構成される。さらにスポット・イベントリストの画面とは，取り上げたテーマに応じたスポット・イベントをリストで表示するコンテンツであり，それぞれの画面のｈｔｍｌファイルと，そのｈｔｍｌファイルで表示する画像ファイルと，そのｈｔｍｌファイルに記載される情報のｃｓｖファイルとから構成される。このように，一つのテーマに関するコンテンツが，ユーザ端末３のアプリケーションプログラム３０で閲覧可能に，アドオンとして，一つの配信コンテンツとして構成される。なお，この配信コンテンツとしては，たとえばｅｐｕｂ形式で配信されると良いが，それに限定するものではない。
【００３０】
配信コンテンツ記憶部２１は，コンテンツ登録処理部２０で受け付けたコンテンツを記憶する。図５に配信コンテンツ記憶部２１の一例を模式的に示す。
【００３１】
コンテンツ配信処理部２２は，ユーザ端末３からコンテンツの取得要求を受け付けると，その取得要求に対応するコンテンツを配信コンテンツ記憶部２１から抽出し，当該ユーザ端末３に送る。
【００３２】
更新確認処理部２３は，ユーザ端末３からコンテンツの更新確認要求を受け付けると，その確認要求に対応するコンテンツについて，更新情報があるかを判定し，その判定結果をユーザ端末３に送る。そしてユーザ端末３において更新情報があることの結果を受け付けると，ユーザ端末３からコンテンツの取得要求が送られるので，コンテンツ配信処理部２２でコンテンツを配信することでコンテンツを更新させる。
【００３３】
なお，判定結果をユーザ端末３に送るのではなく，更新情報があると判定した場合には，配信コンテンツ記憶部２１に記憶する更新後のコンテンツを，コンテンツ配信処理部２２から当該ユーザ端末３に送るように構成しても良い。
【００３４】
ユーザが利用するユーザ端末３には，本発明のコンテンツ配信システム１で用い，コンテンツ配信サーバ２からコンテンツを取得するためのアプリケーションプログラム３０と，当該アプリケーションプログラム３０で取得したコンテンツを記憶する取得コンテンツ記憶部３１とを備える。
【００３５】
アプリケーションプログラム３０は，閲覧処理部３００とコンテンツ取得処理部３０１とコンテンツ更新処理部３０２と連動処理部３０３とを有する。
【００３６】
閲覧処理部３００は，取得コンテンツ記憶部３１に記憶する各コンテンツの閲覧処理を実行する。
【００３７】
コンテンツ取得処理部３０１は，ユーザが所望するコンテンツを取得する取得要求をコンテンツ配信サーバ２に送り，対応するコンテンツを取得して，後述する取得コンテンツ記憶部３１に記憶する。
【００３８】
コンテンツ更新処理部３０２は，取得コンテンツ記憶部３１に記憶するコンテンツについて，更新されているかを確認する更新確認要求をコンテンツ配信サーバ２に送る。
【００３９】
連動処理部３０３は，取得したコンテンツについて，所望の操作をすることで，そのコンテンツに含まれる情報を，ユーザ端末３のカレンダー機能にスケジュール登録をする。またコンテンツに含まれる場所の情報を用いて，その周辺の地図情報を表示させる。さらに，その場所の情報と，ユーザ端末３に備えられたＧＰＳ機能とを用いて，ユーザの現在位置から当該コンテンツに含まれる場所までの経路を表示させる。
【００４０】
取得コンテンツ記憶部３１は，コンテンツ取得処理部３０１がコンテンツ配信サーバ２から取得したコンテンツを記憶する。図６に取得コンテンツ記憶部３１の一例を模式的に示す。
【００４１】
つぎに本発明のコンテンツ配信システム１の処理プロセスの一例を図３のフローチャートを用いて説明する。
【００４２】
まずユーザは，本発明のコンテンツ配信システム１を利用する場合，あらかじめ所定の操作を行うことで，アプリケーションプログラム３０をユーザ端末３にダウンロードをしてインストールをする（Ｓ１００）。これによって，アプリケーションプログラム３０における各機能が実行可能となり，コンテンツ配信サーバ２からコンテンツを取得し，その閲覧をすることが可能となる。この際のアプリケーションプログラム３０としては，コンテンツ配信サーバ２から取得したコンテンツを，いわゆるアドオンで，閲覧可能な形式として設計されている。たとえば「ｅｐｕｂ」形式のコンテンツが閲覧可能な形式であると良い。
【００４３】
一方，ユーザ端末３に対して配信するコンテンツを登録するコンテンツ登録者は，任意の方法でコンテンツを作成し，コンテンツ登録者端末４からコンテンツ配信サーバ２にコンテンツを登録する（Ｓ１１０）。たとえば，「新名所・名所ガイド」，「クリスマスイベント特集」，「猫カフェ・犬カフェ」，「プラネタリウムガイド」など，あるテーマに沿った豆知識と，そのテーマに関するスポットやイベントの情報を含むコンテンツを作成し，それらのコンテンツを一つのテーマの配信コンテンツとしてコンテンツ登録者端末４からコンテンツ配信サーバ２に登録をする。
【００４４】
すなわち，作成したコンテンツ（一つのテーマに沿ってまとめられたコンテンツのファイル群）についてコンテンツ登録者端末４で所定の操作を行うことで，コンテンツ登録者端末４からコンテンツ配信サーバ２に送る。そしてコンテンツ登録処理部２０では，コンテンツ登録者端末４から送られたコンテンツを受け付け，そのコンテンツにコンテンツ識別情報と登録日または更新日を付加し，配信コンテンツ記憶部２１に記憶させる。
【００４５】
ユーザがコンテンツの閲覧を希望する場合，ユーザ端末３において所定の操作をすることで，アプリケーションプログラム３０を起動させる。そして所定の操作を行うことで，閲覧処理部３００が起動し，初期画面を表示させる。
【００４６】
すなわち，初期画面では，最新情報が表示されるので，初期画面に表示する画像等のコンテンツの取得要求をコンテンツ取得処理部３０１がコンテンツ配信サーバ２に行い，コンテンツ配信処理部２２は，配信コンテンツ記憶部２１に記憶する初期画面用のコンテンツを当該ユーザ端末３に送る。そしてユーザ端末３の閲覧処理部３００では，コンテンツ配信サーバ２から受け付けたコンテンツを表示させることで，たとえば図７に示すような初期画面を表示させる。
【００４７】
この初期画面を操作することでユーザは，コンテンツ配信サーバ２からコンテンツを取得して閲覧するが，最初にアプリケーションプログラム３０を起動した段階では，コンテンツはユーザ端末３には記憶されていない。そこで，初期画面から，テーマを探すための画面「テーマストア」を選択することで，その操作をユーザ端末３で受け付け，ユーザ端末３のコンテンツ取得処理部３０１が，「テーマストア」の画面に表示する画面等のコンテンツの取得要求をコンテンツ配信サーバ２に行う。そしてコンテンツ配信サーバ２のコンテンツ配信処理部２２は，配信コンテンツ記憶部２１に記憶するコンテンツをリスト化して，当該ユーザ端末３に送る。そしてユーザ端末３の閲覧処理部３００では，コンテンツ配信サーバ２から受け付けたコンテンツのリストを，たとえば図８に示すような画面で表示させる。
【００４８】
ユーザは，ユーザ端末３で表示された図８の画面から，閲覧したいコンテンツを選択する。たとえば，図８の画面から，「新名所・名所ガイド」のコンテンツを選択すると，図９に示すように，ダウンロードの確認画面を表示させる。そして，「開く」の選択操作をユーザ端末３で受け付けることで，ユーザ端末３のコンテンツ取得処理部３０１が，「新名所・名所ガイド」のコンテンツの取得要求をコンテンツ配信サーバ２に行い，コンテンツ配信サーバ２のコンテンツ配信処理部２２は，配信コンテンツ記憶部２１に記憶する「新名所・名所ガイド」のコンテンツを抽出し，ユーザ端末３に送る。
【００４９】
ユーザ端末３のコンテンツ取得処理部３０１は，コンテンツ配信サーバ２から送られたコンテンツを，取得コンテンツ記憶部３１に記憶させる（Ｓ１２０）。そして，取得したコンテンツは，「マイテーマ」として記憶される。マイテーマの画面の一例を図１０に示す。マイテーマの画面には，取得コンテンツ記憶部３１に記憶する，ユーザが取得したコンテンツの一覧がリスト化されて表示される。
【００５０】
そしてユーザは，図１０に示すようなマイテーマの画面から，「新名所・名所ガイド」を選択することで，閲覧処理部３００は，取得コンテンツ記憶部３１に記憶するコンテンツのうち，テーマトップの画面を抽出し，表示する（Ｓ１３０）。この際に表示するテーマトップの画面の一例が図１１である。
【００５１】
ユーザがより詳細な画面を閲覧したい場合には，たとえば「東京の新名所・名所ガイド」を選択することで，閲覧処理部３００は，取得コンテンツ記憶部３１に記憶する「新名所・名所ガイド」のコンテンツのうち，「東京の新名所・名所ガイド」のスポット・インベントリストを抽出して表示させる。また，豆知識として「根強い人気の浅草寺」を閲覧したい場合には，それを選択することで，閲覧処理部３００は，取得コンテンツ記憶部３１に記憶する「豆知識」のコンテンツのうち，「根強い人気の浅草寺」の豆知識の情報を抽出して表示させる。
【００５２】
このような処理を経ることで，ユーザは所望のコンテンツを閲覧することができる。また，ユーザがテーマを追加したい場合，上述と同様に，「テーマストア」を選択することで，逐次，テーマに関するコンテンツを取得し，閲覧することができる。このようにコンテンツが追加された状態のマイテーマの画面の一例を図１２に示す。
【００５３】
そしてユーザが閲覧したコンテンツにおける，スポット・イベントリストから，そのイベントの場所の情報を知りたいと思った場合には，スポットイベント情報の詳細画面（図１３）で所定の操作を行うことで，連動処理部３０３が，取得コンテンツ記憶部３１に記憶するスポットイベント情報における位置情報に基づいて，当該場所の地図情報を表示させる。これを模式的に示すのが図１４である。すなわち位置情報は，たとえば緯度経度情報であるので，その緯度経度情報に基づいて，ユーザ端末３においてあらかじめ記憶されている地図情報のアプリケーションを起動させ，そのアプリケーションに位置情報を渡し，表示させる。
【００５４】
さらに，ユーザ端末３にＧＰＳ機能が備わっている場合，連動処理部３０３は，ＧＰＳ機能を起動させ，ユーザ端末３の現在の位置情報を取得する。そして，ユーザ端末３において，ユーザ端末３の現在の位置情報と，スポットイベント情報における位置情報とを，等外地図を表示させるアプリケーションに渡すことで，現在位置から，スポットイベント情報の位置情報までの経路探索を行わせるようにしても良い。
【００５５】
また，スポットイベント情報で表示されるイベントに参加等したい場合，それを失念しないように，ユーザ端末３のスケジュール機能のアプリケーションに登録をしておきたい場合もある。その場合，図１３に示す詳細画面で所定の操作をユーザが行うことで，連動処理部３０３は，スケジュール機能を起動させ，スポットイベント情報における日時情報に基づいて，当該スケジュール機能に登録する。これによって，スケジュール機能における予定として当該スポットイベント情報が登録され，たとえば所定の日時が近づいてきた場合，ユーザに対してその通知が行われる。そのため，スポットイベント情報を失念する可能性を減らすことができる。
【００５６】
以上のように連動処理部３０３における位置情報，日時情報の連動によって，場所やスケジュールについて多角的に情報を取得することもできる。
【００５７】
また，Ｓ１２０で取得したコンテンツについて，その内容の更新がされる場合がある。しかし本発明のコンテンツ配信システム１では，ユーザ端末３で取得したコンテンツは，取得コンテンツ記憶部３１に記憶され，その閲覧の際には，取得コンテンツ記憶部３１を参照することから，新しいコンテンツに更新がされたことが分からない。そこで，コンテンツ更新処理部３０２は，所定のタイミングでコンテンツ配信サーバ２に対して，取得コンテンツ記憶部３１に記憶したコンテンツについて，新しいコンテンツに更新されたかの確認要求を行う。たとえば閲覧処理部３００で当該コンテンツのテーマトップの画面を表示する場合，あるいは毎日決まった時刻などに確認要求を行う。
【００５８】
この確認要求としては，たとえばコンテンツ更新処理部３０２は，コンテンツを識別するコンテンツ識別情報と取得または更新日時の情報を送り，その確認要求をコンテンツ配信サーバ２の更新確認処理部２３で受け付ける。そして，更新確認処理部２３は，受け付けたコンテンツ識別情報と取得または更新日時の情報とに基づいて，配信コンテンツ記憶部２１に記憶する当該コンテンツ識別情報の日時情報と対比し，相違している場合には，更新があったと判定し，その判定結果をユーザ端末３に送る。一方，相違していない場合には，更新確認処理部２３は更新がないと判定できるので，その判定結果をユーザ端末３に送る。なお，コンテンツ識別情報と取得または更新日時の情報のほか，コンテンツ識別情報とバージョン情報などであっても良い。
【００５９】
ユーザ端末３のコンテンツ更新処理部３０２において，更新していることを示す判定結果を受け取った場合には，コンテンツ取得処理部３０１が，当該コンテンツの取得要求を行い，Ｓ１２０と同様に，更新されたコンテンツをコンテンツ配信サーバ２から取得する。これによって，更新されたコンテンツを閲覧することができる。
【００６０】
なお，上述の説明では，ユーザがテーマストアの画面で表示されるリスト化されたテーマの中から，所望するテーマのコンテンツを取得する場合を説明したが，あらかじめコンテンツ配信サーバ２にそのユーザのコンテンツを取得するための条件を記憶させておくことで，コンテンツ配信処理部２２がその条件とコンテンツとを対比し，条件に合致するコンテンツを当該ユーザのユーザ端末３に自動的に送るように構成することもできる。
【産業上の利用可能性】
【００６１】
本発明のコンテンツ配信システム１によって，ユーザは，一つのアプリケーションプログラム３０をダウンロードしておけば，テーマごとに所望のコンテンツを取得することができるので，アプリケーションプログラム３０の数の増加や記憶容量の増加の懸念を減らすことができる。また，コンテンツを配信する側にとっても，テーマごとのコンテンツをいわゆるアドオン形式で配信することで，一つのアプリケーションプログラム３０での管理が可能なので，テーマごとにアプリケーションプログラム３０を設計，開発等する必要がなくなる。また，コンテンツ自体でのアップデートが可能となるので，アプリケーションプログラム３０自体のアップデートも不要となる。
【符号の説明】
【００６２】
１：コンテンツ配信システム
２：コンテンツ配信サーバ
３：ユーザ端末
４：コンテンツ登録者端末
２０：コンテンツ登録処理部
２１：配信コンテンツ記憶部
２２：コンテンツ配信処理部
２３：更新確認処理部
３０：アプリケーションプログラム
３１：取得コンテンツ記憶部
３００：閲覧処理部
３０１：コンテンツ取得処理部
３０２：コンテンツ更新処理部
３０３：連動処理部
７０：演算装置
７１：記憶装置
７２：表示装置
７３：入力装置
７４：通信装置
【図１】
2014157572.tif 000003
【図２】
2014157572.tif 000004
【図３】
2014157572.tif 000005
【図４】
2014157572.tif 000006
【図５】
2014157572.tif 000007
【図６】
2014157572.tif 000008
【図７】
2014157572.tif 000009
【図８】
2014157572.tif 000010
【図９】
2014157572.tif 000011
【図１０】
2014157572.tif 000012
【図１１】
2014157572.tif 000013
【図１２】
2014157572.tif 000014
【図１３】
2014157572.tif 000015
【図１４】
2014157572.tif 000016